(57)【要約】【課題】ＭＲ室内において被験者の穿刺位置付近を良好に照らすことができる医用照明装置を提供する。【解決手段】この照明装置６０は、光源を内蔵した照明ユニット２１と、曲げたままの状態を維持できるように構成されたフレキシブルチューブ４１と、当該照明装置６０を保持アーム１５に固定するためのクランプが設けられたベース部４３と、を備え、各部が非磁性体で構成されている。【選択図】図２
2011224352.tif 000002
【特許請求の範囲】
【請求項１】
ＭＲ室内で使用される医用照明装置であって、
光源を内蔵した照明ユニットと、
曲げたままの状態を維持できるように構成され、その一端が前記照明ユニットに接続されたフレキシブルチューブと、
該フレキシブルチューブの他端が接続されるとともに、当該照明装置を固定するためのクランプが設けられたベース部と、
を備え、各部が非磁性体で構成されている、医用照明装置。
【請求項２】
前記フレキシブルチューブが、
外側チューブと、その内側に通された内側チューブとを有する二重管構造である、請求項１に記載の医用照明装置。
【請求項３】
前記クランプは、注入ヘッドを保持する棒状部材に当該照明装置に取り付けるためのものであって、
その棒状部材を挟む一対の部材を有し、
その一対の部材が前記棒状部材に取り付けられた状態で、一対の部材と棒状部材との間に、前記注入ヘッドへの配線を通すための凹部が形成される、請求項１または２に記載の医用照明装置。
【請求項４】
前記照明ユニットは、前記光源からの光を反射させる反射部材を有しており、
該反射部材の反射面には、メッキが施されるとともに、そのメッキ上に塗装が施されている、請求項１〜３のいずれか１項に記載の医用照明装置。
【請求項５】
前記光源が点灯している状態での前記照明ユニットの表面（発光部を除く）の温度が４０℃を超えないように構成されている、請求項１〜４のいずれか１項に記載の医用照明装置。
【請求項６】
前記照明ユニットの照射範囲が変更可能に設けられている、請求項１〜５のいずれか１項に記載の医用照明装置。
【請求項７】
シリンジ内の薬液を被験者に向けて注入するための注入ヘッドと、
その注入ヘッドを保持する棒状部材を一部に有している支持構造と、
請求項１〜６のいずれか１項に記載の医用照明装置と、
を備える、薬液注入システム。
【請求項８】
前記注入ヘッドに装着されるシリンジの向きと、
前記フレキシブルチューブが曲げられていない状態における前記照明装置の照明方向とが同じ方向である、請求項７に記載の薬液注入システム。
【発明の詳細な説明】
【技術分野】
【０００１】
本発明は、ＭＲ室（詳細下記）内で使用される医用照明装置に関し、特には、ＭＲＩ装置の撮像結果に悪影響を及ぼすことなく、ＭＲ室内において被験者の穿刺位置付近を良好に照らすことができる医用照明装置を提供することにある。
【背景技術】
【０００２】
現在、医療用の画像診断装置として、ＣＴ(Computed Tomography)スキャナ、ＭＲＩ(Magnetic Resonance Imaging)装置、ＰＥＴ(Positron
Emission Tomography)装置等が知られている。このような撮像装置を使用する際、被験者に造影剤や生理食塩水など（以下、これらを単に「薬液」とも言う）を注入することがあり、この薬液注入を自動で行う注入ヘッドについても種々提案されている（例えば特許文献１）。
【０００３】
一般に、ＭＲＩ装置が配置されるシールド室（以下、ＭＲ室という）は、例えば、磁場の問題や蛍光灯からのノイズの問題が生じないように、暗めの照明となっていることが多い。そのため、このようなＭＲ室内において注入針を被験者の体に穿刺する場合、医師はその手元を確認しにくく、それにより注入針の穿刺ミスが発生するおそれがあった。
【０００４】
注入針の穿刺ミスは、薬液の血管外漏出の原因となりうる。このような血管外漏出の問題に対しては、注入針の穿刺位置付近に漏出検出ユニット（例えば、赤外線を利用するもの）を取り付けて漏出の有無を検出することも考えられる。
【先行技術文献】
【特許文献】
【０００５】
【特許文献１】特開２００３−１１６９９０
【発明の概要】
【発明が解決しようとする課題】
【０００６】
しかしながら、ＭＲＩ装置による検査では、撮像結果に悪影響が及ぶおそれがあることから、上記のような漏出検出ユニットを利用できない場合もある。したがって、血管外漏出の問題に対しては、穿刺ミスの発生そのものを防止することが重要である。
【０００７】
本発明は上記課題に鑑みてなされたものであって、その目的は、ＭＲＩ装置の撮像結果に悪影響を及ぼすことなく、ＭＲ室内において被験者の穿刺位置付近を良好に照らすことができる医用照明装置を提供することにある。また、それを備えたシステムを提供することを他の目的とする。
【課題を解決するための手段】
【０００８】
上記目的を達成するため本発明の医用照明装置は、
ＭＲ室内で使用される医用照明装置であって、
光源を内蔵した照明ユニットと、
曲げたままの状態を維持できるように構成され、その一端が前記照明ユニットに接続されたフレキシブルチューブと、
該フレキシブルチューブの他端が接続されるとともに、当該照明装置を固定するためのクランプが設けられたベース部と、
を備え、各部が非磁性体で構成されている。
【０００９】
このような医用照明装置によれば、各部が非磁性体で構成されているので、ＭＲ室内で使用したとしてもＭＲＩ装置の撮像結果に悪影響を及ぼすことはない。しかも、クランプを備えているので、照明装置をＭＲ室内に既に置かれている医療機器（例えば、注入ヘッドを保持する機構）の一部に取り付けることが可能である。これによれば、照明装置を手で持つ必要が無いので、仮に医師が１人であったとしても穿刺作業を良好に行うことができる。しかも、この照明装置は既存の医療機器の一部に取り付けることが可能なので、この照明装置を専用に保持するスタンド等を用意する必要もない。
【発明の効果】
【００１０】
上述したように、本発明によれば、ＭＲ室内において被験者の穿刺位置付近を良好に照らすことができる医用照明装置を提供することができる。
【図面の簡単な説明】
【００１１】
【図１】システム全体を模式的に示す図である。
【図２】照明装置および注入ヘッドを示す斜視図である。
【図３】図２の照明装置の平面図である。
【図４】図２の照明装置の縦断面図である。
【図５】照明ユニットの他の形態を模式的に示す図である。
【発明を実施するための形態】
【００１２】
以下、図面を参照して本発明の実施の一形態を説明する。
図１に示すように、本実施形態の薬液注入システム１は、シリンジ内の薬液を被験者に注入するための注入ヘッド１００と、それを支持する天吊り式の支持構造１０と、該支持構造１０に取り付けられた照明装置６０と、を備えている。これらは、ＭＲ室５内に配置されている。
【００１３】
図示は省略するが、ＭＲ室５内にはＭＲＩ装置が配置されている。ＭＲＩ装置は公知のものを利用することができ、一例として、被験者を載せて水平方向に移動するベッドと、そのベッドが移動している間に被検者の透視画像を撮像する装置本体とを有している。
【００１４】
図１に示す支持構造１０は、ＭＲ室５の天井に取り付けられる取付け部１１と、４つの要素１２〜１５からなる多関節アームとを有している。
詳細には、取付け部１１から下方に延び出した支持バー１２と、該支持バー１２の下端に回転自在（水平面内）に連結された第１の横方向バー１３と、そのバー１３の先端側に回転自在（水平面内／鉛直面内）に連結された第２の横方向バー１４と、そのバー１４の先端側に回転自在（鉛直面内）に連結された保持アーム１５と、を有している。
【００１５】
保持アーム１５は一例として丸棒状の部材であり、上下方向に延びている。図２に示すように、保持アーム１５の下端部分には利用者によって握られるグリップ部１５ａが設けられている。保持アーム１５には、注入ヘッド１００と照明装置６０とが取り付けられている（詳細後述）。利用者がこの把持部１５ａを握って保持アーム１５を動かすことにより、注入ヘッド１００および照明装置６０を、支持構造１０の可動範囲内における所定位置に位置させることが可能となっている。
【００１６】
図２に示すように、保持アーム１５には本実施形態の照明装置６０が取り付けられており、その下方に注入ヘッド１００が取り付けられている。この照明装置６０は、注入針を被検者の体に穿刺する際に医師等の手元を照らすために使用することができる。また、被験者の取違いの問題を防止するために被験者本人を照らすのに使用することもできる。
【００１７】
注入ヘッド１００は、公知のものを利用可能であり、図２では２本のシリンジが装着される二筒式のヘッド１００が描かれている。この注入ヘッド１００は、前後方向にやや長く形成された筐体１１１を備えている。筐体１１１上面の前側には、各シリンジ２００を保持するシリンジ保持部１１２が設けられている。注入ヘッド１００は、また、シリンジのピストン部材を前後に移動させるためのピストン駆動機構を有している。ピストン駆動機構は、一例として、筐体１１１に内蔵されたモータ（不図示）と、そのモータからの動力を伝達する機構（不図示）と、その機構によって伝達された力を受けて進退移動するプレッサー部材１１３とを有している。
【００１８】
なお、「注入ヘッド」としては、そのピストン駆動機構の動作を制御する制御手段が筐体１１１に内蔵されているものであってもよいし、別体のコントローラ（不図示）に内蔵された制御手段によってピストン駆動機構の動作が制御されるものであってもよい。
【００１９】
図１に示すように、ＭＲ室５の外に配置されたコントローラ３によって注入ヘッド１００の動作が制御されるように構成されていてもよい。コントローラ３は、例えば、ＭＲ室に隣接する操作室内に配置されていてもよい。
【００２０】
一例として、注入ヘッド１００に電力を供給するための電源２Ａは天井上方（ただしＭＲ室の内側）に配置されていてもよい。照明装置６０に電力を供給するための電源２Ｂも、天井上方（ただしＭＲ室の内側）に配置されていてもよい。
電源の供給方式そのものは特に限定されるものではない。一例としてＡＣがＤＣに変換されて供給されるものであってもよいし、電源からＤＣ電源が直接供給されてもよい。また、外部の電源から対象機器への経路の途中にフィルターボックスが配置され、それによりノイズが低減される構成とされていてもよい。
【００２１】
図示は省略するが、注入ヘッド１００への配線は、ＭＲ室５の天井から引き出され、支持構造１０に沿って引き回されて注入ヘッド１００に接続されている。同様に、照明装置５０への配線も、支持構造１０に沿って引き回され、照明装置５０に接続されている。
【００２２】
再び図２を参照し、注入ヘッド１００と照明装置６０との位置関係について説明する。
図２に示すように、注入ヘッド１００は、その筐体１１１側面が左右方向に水平方向に延び出した軸１１８に支持されている。軸１１８は、その基端側が保持アーム１５に固定されている。注入ヘッド１００はこの軸１１８周りに回転可能であり、これにより、注入ヘッド１００のシリンジ保持部側を、上方に向けたり下方に向けたりすることができるようになっている。
【００２３】
次いで、図２〜図４を参照して本実施形態の照明装置６０について説明する。
図２に示すように、この照明装置６０は、光源を有する照明ユニット２１と、それを支持するフレキシブルチューブ４１と、そのフレキシブルチューブ４１の基部側に設けられたベース部４３と、を備えている。
【００２４】
この照明装置６０は、ＭＲ室５内で使用されるものであり、ＭＲＩ装置による撮像に影響を及ぼさないように各部品が非磁性体で構成されている。非磁性材料として、例えば、アルミニウム、非磁性のステンレス鋼、チタン、真鍮などを用いることができる。
【００２５】
ベース部４３は、図３、図４にも示すように、横向きの円筒形の筒状部４４と、その保持部４４の基端側に設けられたクランプ４５とを有している。
クランプ４５は、照明装置６０を保持アーム１５に取り付けるための構造部であり、保持アーム１５を間に置くように対向配置された一対の部材４６、４７を有している。これら一対の部材４６、４７で安定して保持アーム１５に保持できるように、各部材４６、４７の内面には、保持アーム１５の外周面に沿うような半円筒状の凹部４６ａ、４７ａが形成されている。
【００２６】
図３に示すように、部材４６の凹部４６ａには図２の上下方向（アーム１５に沿う方向）に延びる２つの縦溝４８ａ、４８ｂが形成されている。これらの縦溝４８ａ、４８ｂには、それぞれ、照明装置６０への配線と注入ヘッド１００への配線が通される。
【００２７】
筒状部４４には、照明をＯＮ／ＯＦＦするためのスイッチＳＷが設けられている。このスイッチＳＷは、該スイッチ上面の両端部を押すことによりＯＮとＯＦＦが切り替えられる（一例）。このスイッチＳＷも、ＭＲＩ装置による撮像に影響を及ぼさないような非磁性のものである。
【００２８】
スイッチＳＷの配置位置は特に限定されるものではないが、本実施形態では筒状部４４の上面に設けられている。
スイッチＳＷが筒状部４４の側面（片側）に設けられている場合、支持構造１０のアームの位置によっては、医師等の死角にスイッチＳＷが隠れ、照明のＯＮ／ＯＦＦをスムーズに行えないことがある。これに対して、本実施形態のようにスイッチＳＷが上面に設けられている場合、基本的に、スイッチＳＷが医師の死角に隠れることがないので、そのような問題を防止することができる。
【００２９】
フレキシブルチューブ４１は、図５に示すように、外側チューブ４１Ａの内部に内側チューブ４１Ｂが通された二重管構造である。各チューブ４１Ａ、４１Ｂは、例えば、曲げたままの姿勢を維持できるインターロックチューブである。図４では図示を省略しているが、内側チューブ４１Ｂ内には、光源（詳細下記）に電力を供給するための配線が通されている。インターロックチューブは、断面形状が横向きの略Ｓ字型となるように折り曲げられたらせん状の帯板を有している。その帯板の両端部（断面コ字型の部分）どうしがスライド可能に係合することによって、チューブを所定の曲率半径で曲げることができるようになっている。なお、このインターロックチューブは市販のものを利用してもよい。
【００３０】
本実施形態のように二重管構造とすることによりフレキシブルチューブ４１全体としての剛性（所定の姿勢を維持できる性能）が向上する。そのため、照明ユニット２１を所定の姿勢でしっかりと保つことができる。さらに、このようにフレキシブルチューブ４１が二重管構造となっている場合、１本の管の場合と比較して電磁シールド性能が向上するので、内側チューブ４１内に通される配線によるノイズの影響をより低減することができる。
【００３１】
なお、このインターロックチューブに関しても、ＭＲＩ装置による撮像に影響を及ぼさないような非磁性の金属が利用されている。特に、磁性体からなるバネ線等を含むものではなく、綿糸等の繊維を含むインターロックチューブを用いることが好ましい。
【００３２】
再び、照明装置６０の各部分の説明に戻る。
図４に示すように、照明ユニット２１は、内部に基板（不図示）などが配置される円筒状の本体部２４と、その本体部２４の先端側に取り付けられた該本体部よりやや大径のヘッド部２２とを有している。本体部２４内に配置された基板（不図示）には、フレキシブルチューブ４１内に通された配線（不図示）を通じて電力が供給される。
【００３３】
ヘッド部２２内には、カップ型に形成されその基端部に光源が配置される反射部材２６が配置されている。光源としては特に限定されるものではないが、ＬＥＤ（発光ダイオード）７を使用することができる。
反射部材２６の内側面は、このＬＥＤから光を前方に反射させるための反射面２６ａである。この反射面２６ａの曲面形状や、この反射面に施す表面処理（メッキ、塗装など）に関しては、使用するＬＥＤの特性などに応じて適宜変更することが好ましい。
【００３４】
ムラの無い均一的な照明を実現するために、反射部材２６の反射面２６ａにメッキを施し、さらにそのメッキの上に白色（一例）の塗装を施してもよい。塗装を施すこのような構成によれば、塗装の色を適宜変えることで照明の色合いや明るさを微調整することができるという利点も得られる。
【００３５】
図４に示すように、反射部材２６の前面側にはレンズ部材２５が配置されており、この部分が照明装置６０の発光部となっている。
【００３６】
以上のように構成された照明装置６０は下記のように使用することができる。
すなわち、ＭＲ室内において、ＭＲＩ装置の寝台に横たわった被験者の体に注入針を穿刺する際に照明装置６０がＯＮとされ、これにより穿刺位置付近（医師の手元付近）が照らされる。そのため、医師は穿刺位置を確認しやすく、よって血管への穿刺をより確実に行うことが可能となる。
【００３７】
特に、本実施形態の照明装置６０はフレキシブルチューブ４１を備えており、そのフレキシブルチューブ４１は曲げたままの所定の姿勢を維持できるものであるため、所望の位置を好適に照らすことができる。
【００３８】
また、本実施形態では、図２に示すように、注入ヘッド１００に装着されるシリンジの向き（薬液チューブの引出し方向となる方向）と、フレキシブルチューブ４１が曲げられていない状態における照明装置６０の照明方向とが同じ方向（前後方向）を向いている。
一般に、注入ヘッド１００はその先端側が被験者側を向くような姿勢で用いられることが多いところ、照明装置６０がこのような向きとなっている場合、他の向きとされている場合に比べて、穿刺位置付近を照らし易いという利点がある。
【００３９】
また、本実施形態では、注入ヘッド１００への配線がクランプ４５の縦溝４８ｂ内に通される。つまり、クランプ４５によって注入ヘッド１００への配線が保持される。仮にこのような構成でない場合、もし、軸１１８（図１参照）が折損した場合にインジェクタ１００が落下するおそれがある。しかし、本実施形態のように、クランプ４５によって注入ヘッド１００への配線を保持するようにすれば、そのような落下を防止することができる。
【００４０】
なお、図１に示すように、保持アーム１５にその配線を止めるための略Ｃ字型の配線保持部材１７ａ、１７ｂが設けられていてもよい。図１では、一例として、配線部材１７ａ、１７ｂが照明装置６０のクランプの上下に１つずつ取り付けられている。
【００４１】
本実施形態の照明装置６０では、医師等がその照明ユニット２１部分を掴んでその向きを調整することで照明方向が変えられる。つまり、照明装置６０のうち照明ユニット２１部分は医師が触れる部分である。よって、火傷などをすることが無いよう、光源が点灯している状態での照明ユニット（発光部を除く）表面の温度が４０℃（一例）を超えないように構成されていることが望ましい。
同様に、フレキシブルチューブ４１やベース部４３についても、その表面の温度が４０℃を超えないように構成されていることが望ましい。
【００４２】
以上、本発明の一形態について説明したが、本発明は上記の形態に限定されるものではなく、種々変更可能である。
例えば、上記では天吊り式の支持構造１０について説明したが、その他にも、キャスター（脚輪）を備え、床上を移動可能なスタンドに注入ヘッド１００と照明装置６０とが取り付けられていてもよい。
【００４３】
また、フレキシブルチューブ４１は必ずしも２重管構造でなくてもよく、１本のインターロックチューブのみで構成されていてもよい。防滴性を向上させるために、チューブの表面にゴム素材のコーティングが施されたインターロックチューブを利用してもよい。
フレキシブルチューブは、インターロックチューブに限らず、曲げた状態の姿勢を維持することができる他のタイプのチューブを利用してもよい。例えば、多数の節が連結されることにより、全体として、曲げることができるように構成されたものであってもよい。
【００４４】
さらに、図５に示すように、照明ユニット２１の照射範囲が変更できるように構成されていてもよい。この例では、比較的広い範囲を照らす照射範囲Ａ２と、狭い範囲に集光された照射範囲Ａ１とが示されている。照射範囲を変更するための構造は、特に限定されるものではないが、例えば照明ユニット２１のヘッド部分を回転させることによって照射範囲が変わるものであってもよい。具体的には、ヘッド部分に絞り機能が内蔵されており、この絞りによって照射範囲が調整される構成であってもよい。
【００４５】
このような構成によれば、ＭＲＩ検査室内のような暗い環境下においても、照明ユニット２１の照射範囲を適宜調整することで被験者の穿刺位置を良好に照らすことが可能となり、注入針が正しく穿刺されているかどうかの確認を行い易くなる。
【符号の説明】
【００４６】
１  薬液注入システム
２Ａ、２Ｂ  電源
３  コントローラ
５  ＭＲ室
７  ＬＥＤ
１０  支持構造
１５  保持アーム
２１  照明ユニット
２５  レンズ部材
２６  反射部材
４１  フレキシブルチューブ
４１Ａ、４１Ｂ  インターロックチューブ
４３  ベース部
４４  筒状部
４５  クランプ
６０  照明装置
１００  注入ヘッド
１１１  筐体
１１８  軸
Ａ１、Ａ２  照射範囲
ＳＷ  スイッチ
【図１】
2011224352.tif 000003
【図２】
2011224352.tif 000004
【図３】
2011224352.tif 000005
【図４】
2011224352.tif 000006
【図５】
2011224352.tif 000007